(57)【特許請求の範囲】
【請求項１】
見出し語と当該見出し語の説明情報とを対応付けて集録した検索可能文字種が異なる複数の通常辞書を記憶する通常辞書記憶手段と、
見出し語と当該見出し語の簡約化した説明情報とを対応付けて集録した検索可能文字種が異なる複数の簡約辞書を記憶する簡約辞書記憶手段と、
前記通常辞書記憶手段により記憶された何れかの通常辞書の見出し語に対応する説明情報を表示部に表示させる説明情報表示手段と、
この説明情報表示手段により表示された説明情報の中の任意の文字列をユーザ操作に応じて指定する文字列指定手段と、
この文字列指定手段により指定された任意の文字列の文字種を判別する文字種判別手段と、
この文字種判別手段により判別された文字種により検索可能な簡約辞書から前記文字列指定手段により指定された任意の文字列に対応する見出し語を検索する見出し語検索手段と、
この見出し語検索手段により検索された見出し語に対応する簡約化された説明情報を前記簡約辞書から読出し前記説明情報表示手段により表示部に表示された説明情報の中にウインドウにして表示させる簡約説明表示手段と、
この簡約説明表示手段により表示された簡約化された説明情報の中の任意の文字列をユーザ操作に応じて指定する簡約文字列指定手段と、
前記通常辞書記憶手段により記憶された複数の通常辞書のうち、前記見出し語検索手段により見出し語を検索した簡約辞書と検索可能文字種が同じ通常辞書から、当該見出し語と同じ見出し語に対応する説明情報を読み出す通常説明読出し手段と、
この通常説明読出し手段により読み出された前記通常辞書からの説明情報のうち、前記簡約文字列指定手段により指定された任意の文字列を含む説明情報の一部を前記簡約説明表示手段により前記表示部に表示させたウインドウに書き替えて表示させる通常説明表示手段と、
を備えたことを特徴とする電子辞書装置。
【請求項２】
前記簡約辞書記憶手段は、前記通常辞書記憶手段により記憶された通常辞書を元辞書とし、その見出し語と当該見出し語の簡約化した説明情報とを対応付けて集録した簡約辞書を記憶し、
前記通常説明読出し手段は、前記通常辞書記憶手段により記憶された複数の通常辞書のうち、前記見出し語検索手段により見出し語を検索した簡約辞書の元辞書としての通常辞書から、当該見出し語と同じ見出し語に対応する説明情報を読み出す、
ことを特徴とする請求項１に記載の電子辞書装置。
【請求項３】
前記簡約辞書記憶手段は、前記通常辞書記憶手段により記憶された通常辞書を元辞書とし、その見出し語と当該見出し語の簡約化した説明情報とを対応付けて集録した簡約辞書を記憶し、
前記通常説明読出し手段は、
前記通常辞書記憶手段により記憶された複数の通常辞書のうち、前記見出し語検索手段により見出し語を検索した簡約辞書の元辞書としての通常辞書から、当該見出し語と同じ見出し語に対応する説明情報を読み出す元辞書説明読出し手段と、
前記通常辞書記憶手段により記憶された複数の通常辞書のうち、前記見出し語検索手段により見出し語を検索した簡約辞書の元辞書としての通常辞書とは別の検索可能文字種が同じ通常辞書から、当該見出し語と同じ見出し語に対応する説明情報を読み出す別辞書説明読出し手段とを有し、
前記通常説明表示手段は、
前記元辞書説明読出し手段により読み出された前記元辞書としての通常辞書からの説明情報のうち、前記簡約文字列指定手段により指定された任意の文字列を含む説明情報の一部を前記簡約説明表示手段により表示させたウインドウに書き替えて表示させる元辞書説明表示手段と、
前記別辞書説明読出し手段により読み出された前記元辞書としての通常辞書とは別の通常辞書からの説明情報のうち、前記簡約文字列指定手段により指定された任意の文字列を含む説明情報の一部を前記簡約説明表示手段により表示させたウインドウに書き替えて表示させる別辞書説明表示手段とを有する、
ことを特徴とする請求項１に記載の電子辞書装置。
【請求項４】
表示部を備えた電子機器のコンピュータを制御するためのプログラムであって、
前記コンピュータを、
見出し語と当該見出し語の説明情報とを対応付けて集録した検索可能文字種が異なる複数の通常辞書をメモリに記憶させる通常辞書記憶手段、
見出し語と当該見出し語の簡約化した説明情報とを対応付けて集録した検索可能文字種が異なる複数の簡約辞書をメモリに記憶させる簡約辞書記憶手段、
前記通常辞書記憶手段により記憶された何れかの通常辞書の見出し語に対応する説明情報を前記表示部に表示させる説明情報表示手段、
この説明情報表示手段により表示された説明情報の中の任意の文字列をユーザ操作に応じて指定する文字列指定手段、
この文字列指定手段により指定された任意の文字列の文字種を判別する文字種判別手段、
この文字種判別手段により判別された文字種により検索可能な簡約辞書から前記文字列指定手段により指定された任意の文字列に対応する見出し語を検索する見出し語検索手段、
この見出し語検索手段により検索された見出し語に対応する簡約化された説明情報を前記簡約辞書から読出し前記説明情報表示手段により前記表示部に表示された説明情報の中にウインドウにして表示させる簡約説明表示手段、
この簡約説明表示手段により表示された簡約化された説明情報の中の任意の文字列をユーザ操作に応じて指定する簡約文字列指定手段、
前記通常辞書記憶手段により記憶された複数の通常辞書のうち、前記見出し語検索手段により見出し語を検索した簡約辞書と検索可能文字種が同じ通常辞書から、当該見出し語と同じ見出し語に対応する説明情報を読み出す通常説明読出し手段、
この通常説明読出し手段により読み出された前記通常辞書からの説明情報のうち、前記簡約文字列指定手段により指定された任意の文字列を含む説明情報の一部を前記簡約説明表示手段により前記表示部に表示させたウインドウに書き替えて表示させる通常説明表示手段、
として機能させるためのプログラム。
【発明の詳細な説明】
【技術分野】
【０００１】
本発明は、ジャンプ検索機能を備えた電子辞書装置およびその制御プログラムに関する。
【背景技術】
【０００２】
従来から電子辞書装置は、所望の見出し語に対応する説明情報を辞書データから読み出し説明情報表示画面として表示したり、所望の電子ブックを読み出しブックビューア画面として表示したりする機能を有している。
【０００３】
そして、前記説明情報表示画面やブックビューア画面において、任意の文字列を検索文字列として指定し、この検索文字列を、その場でユーザ選択される他の辞書データから見出し語検索してその説明情報を表示させることのできるジャンプ検索機能を搭載したものがある。
【０００４】
従来のジャンプ検索機能を備えた電子辞書装置において、説明情報の表示画面上で指定された任意の検索文字列の文字種に応じて、見出し語検索可能な辞書の種類を予め識別し、この識別された辞書の中で前回の見出し語検索により使用した辞書をジャンプ先の辞書として検索処理する。これにより、ジャンプ先辞書の選択画面からユーザが日頃使用している所望の辞書を一々選択し直す必要無しに、当該所望の辞書にてジャンプ検索可能なものがある（例えば、特許文献１参照。）。
【０００５】
また、テキストの表示画面上で指定された任意の単語の訳等の関連情報を、予め決められた辞書データからその場で検索し、当該表示画面上でウインドウにより表示させる電子辞書装置も考えられている（例えば、特許文献２参照。）。
【先行技術文献】
【特許文献】
【０００６】
【特許文献１】特開２００４−２９５６２６号公報
【特許文献２】特開平０９−０９１２９３号公報
【発明の概要】
【発明が解決しようとする課題】
【０００７】
従来の電子辞書装置では、説明情報の表示画面上あるいはテキストの表示画面上で指定された任意の文字列について、ユーザにより選択された辞書データ、あるいは指定の文字列の文字種に応じて前回の見出し語検索により使用された辞書データ、あるいは予め決められた辞書データにジャンプして検索することが可能である。
【０００８】
しかしながら、一旦辞書検索された説明情報の表示画面上や電子ブックなどのテキストの表示画面上においてユーザが指定する任意の検索文字列については、取り敢えず詳細な説明情報は必要とせず、簡易な訳や語義だけを知りたい場合が殆どである。
【０００９】
一方で、前記ユーザ指定の任意の検索文字列について簡易な説明情報のみを検索して表示したときでも、必要に応じて詳細な説明情報を知りたい場合もあり、何れの場合のジャンプ検索においても、より高い操作性の実現が望まれる。
【００１０】
本発明は、このような課題に鑑みなされたもので、簡易な説明情報のみを知りたい場合、あるいは当該簡易な説明情報からさらに詳細な説明情報を知りたい場合の何れの場合でも、ユーザ所望のジャンプ検索処理を操作性よく快適に実行することが可能になる電子辞書装置およびその制御プログラムを提供することを目的とする。
【課題を解決するための手段】
【００１１】
請求項１に記載の電子辞書装置は、見出し語と当該見出し語の説明情報とを対応付けて集録した検索可能文字種が異なる複数の通常辞書を記憶する通常辞書記憶手段と、見出し語と当該見出し語の簡約化した説明情報とを対応付けて集録した検索可能文字種が異なる複数の簡約辞書を記憶する簡約辞書記憶手段と、前記通常辞書記憶手段により記憶された何れかの通常辞書の見出し語に対応する説明情報を表示部に表示させる説明情報表示手段と、この説明情報表示手段により表示された説明情報の中の任意の文字列をユーザ操作に応じて指定する文字列指定手段と、この文字列指定手段により指定された任意の文字列の文字種を判別する文字種判別手段と、この文字種判別手段により判別された文字種により検索可能な簡約辞書から前記文字列指定手段により指定された任意の文字列に対応する見出し語を検索する見出し語検索手段と、この見出し語検索手段により検索された見出し語に対応する簡約化された説明情報を前記簡約辞書から読出し前記説明情報表示手段により表示部に表示された説明情報の中にウインドウにして表示させる簡約説明表示手段と、この簡約説明表示手段により表示された簡約化された説明情報の中の任意の文字列をユーザ操作に応じて指定する簡約文字列指定手段と、前記通常辞書記憶手段により記憶された複数の通常辞書のうち、前記見出し語検索手段により見出し語を検索した簡約辞書と検索可能文字種が同じ通常辞書から、当該見出し語と同じ見出し語に対応する説明情報を読み出す通常説明読出し手段と、この通常説明読出し手段により読み出された前記通常辞書からの説明情報のうち、前記簡約文字列指定手段により指定された任意の文字列を含む説明情報の一部を前記簡約説明表示手段により前記表示部に表示させたウインドウに書き替えて表示させる通常説明表示手段と、を備えたことを特徴としている。
【００１２】
請求項２に記載の電子辞書装置は、前記請求項１に記載の電子辞書装置において、前記簡約辞書記憶手段は、前記通常辞書記憶手段により記憶された通常辞書を元辞書とし、その見出し語と当該見出し語の簡約化した説明情報とを対応付けて集録した簡約辞書を記憶し、前記通常説明読出し手段は、前記通常辞書記憶手段により記憶された複数の通常辞書のうち、前記見出し語検索手段により見出し語を検索した簡約辞書の元辞書としての通常辞書から、当該見出し語と同じ見出し語に対応する説明情報を読み出す、ことを特徴としている。
【００１３】
請求項３に記載の電子辞書装置は、前記請求項１に記載の電子辞書装置において、前記簡約辞書記憶手段は、前記通常辞書記憶手段により記憶された通常辞書を元辞書とし、その見出し語と当該見出し語の簡約化した説明情報とを対応付けて集録した簡約辞書を記憶し、前記通常説明読出し手段は、前記通常辞書記憶手段により記憶された複数の通常辞書のうち、前記見出し語検索手段により見出し語を検索した簡約辞書の元辞書としての通常辞書から、当該見出し語と同じ見出し語に対応する説明情報を読み出す元辞書説明読出し手段と、前記通常辞書記憶手段により記憶された複数の通常辞書のうち、前記見出し語検索手段により見出し語を検索した簡約辞書の元辞書としての通常辞書とは別の検索可能文字種が同じ通常辞書から、当該見出し語と同じ見出し語に対応する説明情報を読み出す別辞書説明読出し手段とを有し、前記通常説明表示手段は、前記元辞書説明読出し手段により読み出された前記元辞書としての通常辞書からの説明情報のうち、前記簡約文字列指定手段により指定された任意の文字列を含む説明情報の一部を前記簡約説明表示手段により表示させたウインドウに書き替えて表示させる元辞書説明表示手段と、前記別辞書説明読出し手段により読み出された前記元辞書としての通常辞書とは別の通常辞書からの説明情報のうち、前記簡約文字列指定手段により指定された任意の文字列を含む説明情報の一部を前記簡約説明表示手段により表示させたウインドウに書き替えて表示させる別辞書説明表示手段とを有する、ことを特徴としている。
【００１４】
請求項４に記載のプログラムは、表示部を備えた電子機器のコンピュータを制御するためのプログラムであって、前記コンピュータを、見出し語と当該見出し語の説明情報とを対応付けて集録した検索可能文字種が異なる複数の通常辞書をメモリに記憶させる通常辞書記憶手段、見出し語と当該見出し語の簡約化した説明情報とを対応付けて集録した検索可能文字種が異なる複数の簡約辞書をメモリに記憶させる簡約辞書記憶手段、前記通常辞書記憶手段により記憶された何れかの通常辞書の見出し語に対応する説明情報を前記表示部に表示させる説明情報表示手段、この説明情報表示手段により表示された説明情報の中の任意の文字列をユーザ操作に応じて指定する文字列指定手段、この文字列指定手段により指定された任意の文字列の文字種を判別する文字種判別手段、この文字種判別手段により判別された文字種により検索可能な簡約辞書から前記文字列指定手段により指定された任意の文字列に対応する見出し語を検索する見出し語検索手段、この見出し語検索手段により検索された見出し語に対応する簡約化された説明情報を前記簡約辞書から読出し前記説明情報表示手段により前記表示部に表示された説明情報の中にウインドウにして表示させる簡約説明表示手段、この簡約説明表示手段により表示された簡約化された説明情報の中の任意の文字列をユーザ操作に応じて指定する簡約文字列指定手段、前記通常辞書記憶手段により記憶された複数の通常辞書のうち、前記見出し語検索手段により見出し語を検索した簡約辞書と検索可能文字種が同じ通常辞書から、当該見出し語と同じ見出し語に対応する説明情報を読み出す通常説明読出し手段、この通常説明読出し手段により読み出された前記通常辞書からの説明情報のうち、前記簡約文字列指定手段により指定された任意の文字列を含む説明情報の一部を前記簡約説明表示手段により前記表示部に表示させたウインドウに書き替えて表示させる通常説明表示手段、として機能させることを特徴としている。
【発明の効果】
【００１５】
本発明によれば、簡易な説明情報のみを知りたい場合、あるいは当該簡易な説明情報からさらに詳細な説明情報を知りたい場合の何れの場合でも、ユーザ所望のジャンプ検索処理を操作性よく快適に実行することが可能になる電子辞書装置およびその制御プログラムを提供できる。
【図面の簡単な説明】
【００１６】
【図１】本発明の実施形態に係る電子辞書装置１０の外観構成を示す正面図。
【図２】前記電子辞書装置１０の電子回路の構成を示すブロック図。
【図３】前記電子辞書装置１０のメモリ２２に確保されたジャンプ先辞書テーブルメモリ２２ｇの内容を示す図。
【図４】前記電子辞書装置１０のメモリ２２に確保された前回ジャンプ辞書メモリ２２ｈの内容を示す図。
【図５】前記電子辞書装置１０による情報表示処理を示すフローチャート（その１）。
【図６】前記電子辞書装置１０による情報表示処理を示すフローチャート（その２）。
【図７】前記電子辞書装置１０による情報表示処理を示すフローチャート（その３）。
【図８】前記電子辞書装置１０の情報表示処理（ミニ辞書モード）に伴うタッチパネル式カラー表示部（メイン画面）１７および手書き入力部（サブ画面）１６の表示動作（その１）を示す図。
【図９】前記電子辞書装置１０の情報表示処理（ミニ辞書モード）に伴うタッチパネル式カラー表示部（メイン画面）１７および手書き入力部（サブ画面）１６の表示動作（その２）を示す図。
【図１０】前記電子辞書装置１０の情報表示処理（ミニ辞書モード）に伴うタッチパネル式カラー表示部（メイン画面）１７および手書き入力部（サブ画面）１６の表示動作（その３）を示す図。
【図１１】前記電子辞書装置１０の情報表示処理（ミニ辞書モード）に伴うタッチパネル式カラー表示部（メイン画面）１７および手書き入力部（サブ画面）１６の表示動作（その４）を示す図。
【図１２】前記電子辞書装置１０の情報表示処理（前回辞書モード）に伴うタッチパネル式カラー表示部（メイン画面）１７および手書き入力部（サブ画面）１６の表示動作を示す図。
【図１３】前記電子辞書装置１０の情報表示処理（辞書選択モード）に伴うタッチパネル式カラー表示部（メイン画面）１７および手書き入力部（サブ画面）１６の表示動作を示す図。
【発明を実施するための形態】
【００１７】
以下図面により本発明の実施の形態について説明する。
【００１８】
図１は、本発明の実施形態に係る電子辞書装置１０の外観構成を示す正面図である。
【００１９】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００２０】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソルキー１４ｅ、［ジャンプ］キー１４ｆ、スピーカ１５などを備えたキー入力部（キーボード）１４、および手書き入力部（サブ画面）１６が備えられる。
【００２１】
この手書き入力部（サブ画面）１６は、ユーザがペンや指等でタッチした位置を検出するタッチ位置検出装置と表示装置が一体となった構造であり、キー入力部１４の中央手前側において例えば２５６×６４ドットの液晶表示画面１６ｄに透明タッチパネル１６ｔを重ねて構成される。この手書き入力部（サブ画面）１６の入力領域は、必要に応じて、手書き文字を入力するための手書き文字（漢字）入力領域や各種機能のアイコン入力領域、あるいは各入力領域が混在する領域に切り替えられる。
【００２２】
そして、前記手書き入力部（サブ画面）１６が手書き文字入力領域に切り替えられた状態での手書き入力に伴う軌跡はその液晶表示画面１６ｄにエコーバックして表示される。
【００２３】
また蓋体ケース１２の表面には、そのほぼ全面を対象に例えば４８０×３２０ドットのバックライト付きのタッチパネル式カラー表示部（メイン画面）１７が設けられる。このタッチパネル式カラー表示部（メイン画面）１７も、前記手書き入力部（サブ画面）１６と同様に、ユーザがペンや指等でタッチした位置を検出するタッチ位置検出装置と表示装置が一体となった構造であり、カラー液晶表示画面１７ｄに透明タッチパネル１７ｔを重ねて構成される。
【００２４】
そして、前記タッチパネル式カラー表示部（メイン画面）１７の右端には、前記キー入力部１４における一部のキーの押下操作をタッチ操作により行うための、キー表記（例えば［訳／決定］キーＫＥや［ジャンプ］キーＫＪ）が固定印刷されたタッチキーエリア１７Ａが設けられる。
【００２５】
また、前記タッチパネル式カラー表示部（メイン画面）１７の左端には、動作モードに応じて実行可能な機能をタッチ操作により指定するための、各種のアイコンが表示されるタッチアイコンエリア１７Ｂが設けられる。
【００２６】
例えば所望の辞書の見出し語を検索し、その説明情報などを表示させた説明情報表示画面Ｇが前記タッチパネル式カラー表示部１７に表示される通常の辞書検索モードの場合、前記タッチアイコンエリア１７Ｂには、当該説明情報表示画面Ｇに表示されている説明情報のなかの任意の範囲をタッチでなぞってカラーマーカーにより識別表示させるためのマーカーモードを設定する［マーカー］アイコンＢＭ、ユーザ所望の辞書の見出し語をユーザ独自に分類して登録した単語帳を呼び出すための［単語帳］アイコンＢＴが表示される。
【００２７】
また、例えば図８（Ｂ）に示すように、前記説明情報表示画面Ｇに表示されている説明情報のなかの任意の文字列を指定表示ｈさせ、当該指定表示ｈされた文字列について他の辞書にジャンプして検索するジャンプ検索モード（［ジャンプ］キー１４ｆ（ＫＪ）により起動される）の場合、前記タッチアイコンエリア１７Ｂおよび前記手書き入力部（サブ画面）１６に、ジャンプモードアイコンＢＪが表示される。
【００２８】
このジャンプモードアイコンＢＪは、前記説明情報表示画面Ｇにて指定表示ｈされたジャンプ検索対象の文字列の文字種（漢字／かな／アルファベット）に応じて前回使用された辞書をジャンプ先の辞書に指定するための［前回辞書］アイコンＢｂ、同ジャンプ検索対象の文字列の文字種に応じて検索可能な辞書の中からユーザ所望の辞書をジャンプ先の辞書として選択するための［辞書選択］アイコンＢｓ、同ジャンプ検索対象の文字列の文字種に応じて予め用意されたミニ辞書（簡約辞書）をジャンプ先の辞書に指定するための［ミニ辞書］アイコンＢｍの３つのアイコンからなる。
【００２９】
なお、この電子辞書装置１０は、予め記憶されたブックデータやダウンロードされたテキストデータを、ブック／テキストビューワ画面としてタッチパネル式カラー表示部１７に表示させることが可能である（ブック／テキストビューワモード）。
【００３０】
そして、前記ブック／テキストビューワ画面に表示されているブック／テキストデータのなかの任意の文字列を指定表示ｈさせ、当該指定表示ｈされた文字列について辞書にジャンプして検索することが可能である（ジャンプ検索モード）。
【００３１】
このブック／テキストビューワモードにおけるジャンプ検索モードでは、前記ジャンプモードアイコンＢＪは、手書き入力部（サブ画面）１６にのみ表示され、ブック／テキストビューワ画面が表示されるタッチパネル式カラー表示部１７には、ブック／テキストデータの表示量を可能な限り多く確保するためにタッチアイコンエリア１７Ｂそのものが表示されない。
【００３２】
図２は、前記電子辞書装置１０の電子回路の構成を示すブロック図である。
【００３３】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００３４】
ＣＰＵ２１は、メモリ（フラッシュＲＯＭ）２２内に予め記憶された装置制御プログラム、あるいはＲＯＭカードなどの外部記憶媒体２３から記憶媒体読み書き部２４を介して前記メモリ２２に読み込まれた装置制御プログラム、あるいはインターネットＮ上のＷｅｂサーバ（この場合はプログラムサーバ）から通信制御部２５を介して前記メモリ２２に読み込まれた装置制御プログラムに応じて、回路各部の動作を制御する。
【００３５】
前記メモリ２２に記憶された装置制御プログラムは、キー入力部１４、手書き入力部（サブ画面）１６、タッチパネル式カラー表示部（メイン画面）１７からのユーザ操作に応じた入力信号、あるいは通信制御部２５を介して接続されるインターネットＮ上の各Ｗｅｂサーバとの通信信号、あるいは記憶媒体読み書き部２４を介して外部接続されるＥＥＰＲＯＭ，ＲＡＭ，ＲＯＭなどのメモリ・カード（記憶媒体）２３との接続通信信号に応じて起動される。
【００３６】
前記ＣＰＵ２１には、前記メモリ２２、記憶媒体読み書き部２４、通信制御部２５、キー入力部１４、手書き入力部（サブ画面）１６、タッチパネル式カラー表示部（メイン画面）１７などが接続される。
【００３７】
メモリ２２に記憶される装置制御プログラムとしては、当該電子辞書装置１０の全体の動作を司るシステムプログラムや、通信制御部２５を介してインターネットＮ上の各Ｗｅｂサーバや図示しないユーザＰＣ(Personal Computer)などとデータ通信するための通信プログラムが記憶される。
【００３８】
また、辞書情報やブック／テキストデータの表示だけでなく、検索文字列の入力に応じて見出し語を検索する見出し語検索処理、検索された見出し語に対応した説明情報（訳語・語義など）の読み出し表示処理、表示された説明情報やブック／テキストデータの中のユーザ任意の文字列を指定し当該指定の文字列を他の辞書にジャンプして検索するためのジャンプ検索処理など、同メモリ２２内に記憶された辞書データベース２２ｂ〜２２ｄやブック／テキストデータ２２ｅ，２２ｆに基づく処理全般を制御するための各種情報表示制御プログラム２２ａが記憶される。
【００３９】
前記辞書データベース２２ｂ〜２２ｄとしては、国語系辞書データベース２２ｂ、英語系辞書データベース２２ｃ、ミニ辞書データベース２２ｄが、予めあるいはダウンロードされて記憶される。
【００４０】
国語系辞書データベース２２ｂには、漢字／かなの見出し語に対応付けて日本語の説明情報が記述された［国語辞書］、漢字の見出し語に対応付けて日本語の説明情報が記述された［漢和辞書］、漢字／かな／アルファベットの見出し語に対応付けて日本語の説明情報が記述された［百科辞典］、かなの見出し語に対応付けて日本語の説明情報が記述された［カタカナ語辞書］などが記憶される。
【００４１】
英語系辞書データベース２２ｃには、アルファベットの見出し語に対応付けて日本語の説明情報が記述された［英和辞書］、アルファベットの見出し語に対応付けて英語の説明情報が記述された［英英辞書］、漢字／かなの見出し語に対応付けて英語の説明情報が記述された［和英辞書］などが記憶される。
【００４２】
ミニ辞書データベース２２ｄには、前記国語系辞書データベース２２ｂおよび英語系辞書データベース２２ｃに記憶された各辞書の見出し語に対応して、当該各見出し語の説明情報をそこに含まれる括弧内の情報などを省略し主要な情報のみに簡約化して集録した［国語系ミニ辞書］および［英語系ミニ辞書］が記憶される。
【００４３】
具体的に、前記［国語系ミニ辞書］には、前記各言語系辞書データベース２２ｂ，２２ｃに記憶された漢字／かなを見出し語として有する［国語大辞典］［国語辞書］［新漢和辞書］［百科辞典］［カタカナ語辞書］［新和英辞書］を元辞書とする各ミニ辞書が集録される。また、前記［英語系ミニ辞書］には、同各言語系辞書データベース２２ｂ，２２ｃに記憶されたアルファベットを見出し語として有する［百科辞典］［英和辞書］［英英辞書］を元辞書とする各ミニ辞書が集録される。
【００４４】
ブックデータ２２ｅとしては、英語や日本語で記述された［英語演説集］［世界文学集］［日本文学集］などが記憶される。
【００４５】
テキストデータ２２ｆとしては、種々のテキストデータＡ，Ｂ，…がダウンロードされて記憶される。
【００４６】
また、前記メモリ２２には、ジャンプ先辞書テーブルメモリ２２ｇ、前回ジャンプ辞書メモリ２２ｈ、ジャンプモードメモリ２２ｉ、ワークエリア(1)２２ｊ、ワークエリア(2)２２ｋなどが確保される。
【００４７】
図３は、前記電子辞書装置１０のメモリ２２に確保されたジャンプ先辞書テーブルメモリ２２ｇの内容を示す図である。
【００４８】
ジャンプ先辞書テーブルメモリ２２ｇには、前記各言語系辞書データベース２２ｂ，２２ｃに記憶された各辞書のそれぞれに対応付けて、当該辞書により見出し語検索可能な文字種が記憶される。
【００４９】
このジャンプ先辞書テーブルメモリ２２ｇに記憶されたテーブルデータに基づき、説明情報表示画面Ｇ（図８（Ｂ）参照）やブック／テキストビューア画面にて指定表示ｈさせた検索対象文字列の文字種に応じて見出し語検索可能なジャンプ先辞書を識別する。
【００５０】
図４は、前記電子辞書装置１０のメモリ２２に確保された前回ジャンプ辞書メモリ２２ｈの内容を示す図である。
【００５１】
前回ジャンプ辞書メモリ２２ｈには、ジャンプ検索モードにおいてジャンプ先辞書として使用された辞書の辞書名が、検索対象文字列の文字種毎にジャンプ検索処理の都度、更新されて記憶される。
【００５２】
この前回ジャンプ辞書メモリ２２ｈに記憶された各文字種毎の辞書名に基づき、新たなジャンプ検索モードにおいて指定表示ｈさせた検索対象文字列の文字種に対応して前回使用されたジャンプ先辞書を識別する。
【００５３】
ジャンプモードメモリ２２ｉには、前記ジャンプ検索モードの起動状態にてタッチパネル式カラー表示部（メイン画面）１７のタッチアイコンエリア１７Ｂや手書き入力部（サブ画面）１６に表示されるジャンプモードアイコンＢＪ（前回辞書アイコンＢｂ／辞書選択アイコンＢｓ／ミニ辞書アイコンＢｍ）に応じて選択されたジャンプモードの種類が記憶される。
【００５４】
ワークエリア(1)２２ｊやワークエリア(2)２２ｋには、各種の辞書検索処理やジャンプ検索を伴う情報表示処理などにおいて、一時的に保存が必要なデータが記憶される。
【００５５】
次に、前記構成による電子辞書装置１０のジャンプ検索を伴う情報表示機能について説明する。
【００５６】
図５は、前記電子辞書装置１０による情報表示処理を示すフローチャート（その１）である。
【００５７】
図６は、前記電子辞書装置１０による情報表示処理を示すフローチャート（その２）である。
【００５８】
図７は、前記電子辞書装置１０による情報表示処理を示すフローチャート（その３）である。
【００５９】
図８は、前記電子辞書装置１０の情報表示処理（ミニ辞書モード）に伴うタッチパネル式カラー表示部（メイン画面）１７および手書き入力部（サブ画面）１６の表示動作（その１）を示す図である。
【００６０】
図９は、前記電子辞書装置１０の情報表示処理（ミニ辞書モード）に伴うタッチパネル式カラー表示部（メイン画面）１７および手書き入力部（サブ画面）１６の表示動作（その２）を示す図である。
【００６１】
図１０は、前記電子辞書装置１０の情報表示処理（ミニ辞書モード）に伴うタッチパネル式カラー表示部（メイン画面）１７および手書き入力部（サブ画面）１６の表示動作（その３）を示す図である。
【００６２】
図１１は、前記電子辞書装置１０の情報表示処理（ミニ辞書モード）に伴うタッチパネル式カラー表示部（メイン画面）１７および手書き入力部（サブ画面）１６の表示動作（その４）を示す図である。
【００６３】
［辞書検索モードからのジャンプ辞書検索］
辞書指定キー１４ｂの押下操作によりユーザ所望の辞書が指定されると（ステップＳ１（Ｙｅｓ））、通常の辞書検索モードにセットされ（ステップＳ２）、辞書データベース２２ｂ，２２ｃの中の指定の辞書が起動されると共に、検索文字列の入力画面がタッチパネル式カラー表示部１７に表示される（ステップＳ３）。
【００６４】
この検索文字列の入力画面において、文字入力キー１４ａの押下操作によりユーザ所望の検索文字列が入力されて表示されると（ステップＳ４）、この入力された検索文字列と前方一致する見出し語が前記指定の辞書から検索され、検索された見出し語が一覧にしてタッチパネル式カラー表示部１７の見出し語一覧エリアＬｍ（例えば図１３（Ｇ）参照）に表示される（ステップＳ５）。
【００６５】
すると、前記見出し語一覧エリアＬｍに一覧表示された検索見出し語のうちカーソルＣｕにより指定された見出し語の説明情報が前記指定の辞書から読み出され、タッチパネル式カラー表示部１７のプレビューエリアＶｐ（例えば図１３（Ｇ）参照）にプレビュー表示される（ステップＳ６）。
【００６６】
そして、ユーザによるカーソルＣｕの移動操作に応じて所望の検索見出し語が選択され、［訳／決定］キー１４ｃ（ＫＥ）が押下（タッチ）操作されると（ステップＳ７）、当該選択された見出し語に対応して前記指定の辞書から読み出された説明情報が、タッチパネル式カラー表示部１７の全画面に展開されてなる説明情報表示画面Ｇ（例えば図１３（Ｈ）参照）として表示される（ステップＳ８）。
【００６７】
前記ステップＳ１〜Ｓ８の辞書検索処理に従い、例えば図８（Ａ）に示すように、国語系辞書データベース２２ｂとして記憶されている［国語大辞典］から検索された見出し語「ディーエヌエーウイルス」に対応する説明情報表示画面Ｇがタッチパネル式カラー表示部（メイン画面）１７に表示された状態で、その説明情報の中の任意の文字列について他の辞書へジャンプして検索するために、［ジャンプ］キー１４ｆ（ＫＪ）が押下（タッチ）操作されると（ステップＳ９（Ｙｅｓ））、通常の辞書検索モードか否か判断される（ステップＳ１０）。
【００６８】
ここで、通常の辞書検索モードであると判断されると（ステップＳ１０（Ｙｅｓ））、図８（Ｂ）に示すように、タッチパネル式カラー表示部１７（以下「メイン画面１７」と称す）のタッチアイコンエリア１７Ｂおよび手書き入力部１６（以下「サブ画面１６」と称す）にジャンプモードアイコンＢＪ（前回辞書アイコンＢｂ／辞書選択アイコンＢｓ／ミニ辞書アイコンＢｍ）が表示され、ジャンプ検索モードに設定される（ステップＳ１１，Ｓ１２）。
【００６９】
すると、ジャンプモードメモリ２２ｉに記憶されているジャンプ検索モード（デフォルト“前回辞書モード”）が読み出され、前記ジャンプモードアイコンＢＪのうちで該当する［前回辞書］アイコンＢｂがハイライトにより指定表示Ｈされる（ステップＳ１３）。
【００７０】
そして、説明情報表示画面Ｇの中でジャンプ検索したい文字列「ＤＮＡ」がペンＰによりタッチされると、当該検索文字列が反転により指定表示ｈされる（ステップＳ１４）。
【００７１】
ここで、前記指定表示ｈされた検索文字列「ＤＮＡ」の簡単な語義だけ知りたい場合に、図８（Ｃ）に示すように、［ミニ辞書］アイコンＢｍがタッチされると（ステップＳ３５（Ｙｅｓ））、ジャンプ検索モードが“ミニ辞書モード”に設定されてジャンプモードメモリ２２ｉに記憶されると共に、当該［ミニ辞書］アイコンＢｍがハイライトにより指定表示Ｈされる（ステップＳ３６）。
【００７２】
すると、前記検索文字列「ＤＮＡ」の文字種が判別され（ステップＳ３７）、アルファベットであると判断されると（ステップＳ３８（Ｙｅｓ））、ミニ辞書データベース２２ｄに記憶されている［英語系ミニ辞書］がジャンプ先辞書として指定される（ステップＳ３９）。
【００７３】
すると、前記ジャンプ先として指定された［英語系ミニ辞書］から前記検索文字列「ＤＮＡ」と前方一致する見出し語が検索され、そのうちの先頭の見出し語に対応する簡約な説明情報「DNA(deoxyribonucleic acid) [遺伝]デオキシリボ核酸」が読み出される（ステップＳ４１）。
【００７４】
そして、現在表示中の説明情報表示画面Ｇ上に開いたミニ辞書ウインドウＷｍに前記［英語系ミニ辞書］から読み出された説明情報（簡約化した）が表示される（ステップＳ４１ｍ）。
【００７５】
このように、メイン画面１７に表示された説明情報表示画面Ｇ内の所望の検索文字列について、同メイン画面１７やサブ画面１６に表示されたジャンプモードアイコンＢＪの［ミニ辞書］アイコンＢｍを指定することで、当該検索文字列と一致する見出し語の説明情報がミニ辞書データベース２２ｄに記憶されている簡約化された辞書から読み出され、ミニ辞書ウインドウＷｍとして表示される。このため、表示中の語句の訳や語義を簡単に知りたい場合など、非常に操作性よく快適にジャンプ辞書検索を行うことができる。
【００７６】
なお、前記ミニ辞書ウインドウＷｍの右端には、ウインドウ内の表示情報をスクロールさせるための［スクロール］[↓][↑]ボタンＲ、前記見出し語検索された次候補の見出し語に対応する説明情報（簡約化した）を読み出して表示させるための［別候補］ボタンＮ、前記見出し語検索したミニ辞書（例［英和ミニ辞書］）に対応する元辞書（例［英和辞書］）と同じ種類（例［英語系辞書］）の別の辞書で同じ見出し語を検索し、その辞書名と説明情報を前記ミニ辞書ウインドウＷｍに替わる別辞書ウインドウＷａにして表示させるための［別辞書］ボタンＡ、ミニ辞書ウインドウＷｍまたは別辞書ウインドウＷａを閉じるための［閉じる］ボタンＥが表示される。
【００７７】
ここで、前記ミニ辞書ウインドウＷｍの［別候補］ボタンＮがタッチされた場合は（ステップＳ４２（Ｙｅｓ））、前記ステップＳ３９〜Ｓ４０にて前方一致で見出し語検索された次候補の見出し語に対応する簡約な説明情報が［英語系ミニ辞書］から読み出され、前記ミニ辞書ウインドウＷｍに書き替えられて表示される（ステップＳ４２ａ）。
【００７８】
また、例えば前記図８（Ｃ）で示したように、説明情報表示画面Ｇ内で指定表示ｈさせた任意の検索文字列「ＤＮＡ」を見出し語としてミニ辞書検索したミニ辞書ウインドウＷｍにおける簡約な説明情報の表示状態で、図８（Ｄ）に示すように、同ミニ辞書ウインドウＷｍ内でユーザが注目する任意の文字列「デオキシリボ核酸」がペンＰによりなぞられると（ステップＳ４３（Ｙｅｓ））、当該なぞられた注目の文字列txが検索対象として指定表示ｈされる（ステップＳ４３ａ）。
【００７９】
ここで、図９（Ｅ）に示すように、［ジャンプ］キー１４ｆ（または［訳／決定］キー１４ｃ）が押下されると（ステップＳ４４（Ｙｅｓ））、前記ミニ辞書検索した［英和ミニ辞書］の元辞書である［英和辞書］から同じ見出し語「ＤＮＡ」に対応する説明情報が読み出される（ステップＳ４４ａ）。
【００８０】
そして、前記見出し語「ＤＮＡ」に対応して読み出された説明情報のうち、前記ステップＳ４３，Ｓ４３ａにて指定表示ｈされた検索対象の文字列「デオキシリボ核酸」txを含む部分の説明情報が、前記ミニ辞書ウインドウＷｍに替わる元辞書ウインドウＷｒとして表示される（ステップＳ４４ｂ）。
【００８１】
このように、ミニ辞書ウインドウＷｍにより簡約した説明情報を確認したときに、注目する文字列txが存在するときには、続けて、当該注目の文字列txを指定して［ジャンプ］キー１４ｆ（または［訳／決定］キー１４ｃ）を押下するだけで、前記簡約した説明情報に対応する元辞書からの詳細な説明情報が、ユーザ注目の文字列txを含む部分を主体として元辞書ウインドウＷｒに表示される。このため、表示中の語句の簡約した説明情報を簡単に知ることができるだけでなく、当該簡約した説明情報内にユーザが注目する部分がある場合には、非常に操作性よく快適に元辞書にジャンプ辞書検索して詳細な説明情報の前記注目する部分を容易に確認することができる。
【００８２】
次に、前記図９（Ｅ）で示したように、［国語大辞典］の見出し語「ディーエヌエーウイルス」に対応する説明情報表示画面Ｇ上に、前記ミニ辞書ウインドウＷｍから切り替わった元辞書ウインドウＷｒが表示された状態で、図９（Ｆ）に示すように、［戻る／リスト］キー１４ｄが押下されると（ステップＳ４６（Ｙｅｓ））、前記見出し語「ディーエヌエーウイルス」に対応する説明情報表示画面Ｇの表示状態に戻る。
【００８３】
この［国語大辞典］の見出し語「ディーエヌエーウイルス」に対応する説明情報表示画面Ｇの表示状態において、再びジャンプ検索したい文字列「ウ」（イルス）がペンＰによりタッチされると、ペンタッチされた検索文字「ウ」が反転により指定表示ｈされる（ステップＳ１４）。
【００８４】
そして、［ミニ辞書］アイコンＢｍが指定表示Ｈされている状態で、前記説明情報表示画面Ｇ上で指定表示ｈさせた検索文字列「ウ」（イルス）の簡単な語義だけ知りたい場合に、図９（Ｇ）に示すように、［訳／決定］キー１４ｃが押下されると（ステップＳ４７（Ｙｅｓ））、ジャンプモードメモリ２２ｉに記憶されているジャンプモードが検知され（ステップＳ４８）、“ミニ辞書モード”であると判断される（ステップＳ４９（Ｙｅｓ））。
【００８５】
すると、前記検索文字「ウ」の文字種が判別され（ステップＳ３７）、アルファベットではない“かな／漢字”と判断されると（ステップＳ３８（Ｎｏ））、ミニ辞書データベース２２ｄに記憶されている［国語系ミニ辞書］がジャンプ先辞書として指定される（ステップＳ４０）。
【００８６】
すると、前記ジャンプ先として指定された［国語系ミニ辞書］から前記検索文字「ウ」と前方一致する見出し語が検索され、そのうちの先頭の見出し語「ウイルス」に対応する簡約な説明情報「ウイルス[名](1)電子顕微鏡でなければ見えない、細菌より小さい病原体の総称。(2)「コンピュータウイルス」の略。」が読み出される（ステップＳ４１）。
【００８７】
そして、現在表示中の説明情報表示画面Ｇ上に開いたミニ辞書ウインドウＷｍに前記［国語系ミニ辞書］から読み出された説明情報（簡約化した）が表示される（ステップＳ４１ｍ）。
【００８８】
ここで、前記見出し語「ウイルス」に対応する簡約な説明情報のミニ辞書ウインドウＷｍ内でユーザが注目する任意の文字列「細菌」の先頭の文字「細」がペンＰによりタッチされると（ステップＳ４３（Ｙｅｓ））、当該ペンタッチされた注目の文字txが検索対象として指定表示ｈされる（ステップＳ４３ａ）。
【００８９】
ここで、図９（Ｈ）に示すように、［ジャンプ］キー１４ｆ（または［訳／決定］キー１４ｃ）が押下されると（ステップＳ４４（Ｙｅｓ））、前記ミニ辞書検索した［国語ミニ辞書］の元辞書である［国語辞書］から同じ見出し語「ウイルス」に対応する説明情報が読み出される（ステップＳ４４ａ）。
【００９０】
そして、前記見出し語「ウイルス」に対応して読み出された説明情報のうち、前記ステップＳ４３，Ｓ４３ａにて指定表示ｈされた検索対象の文字「細」txを含む部分の説明情報が、前記ミニ辞書ウインドウＷｍに替わる元辞書ウインドウＷｒとして表示される（ステップＳ４４ｂ）。
【００９１】
このケースの場合も、ミニ辞書ウインドウＷｍにより簡約した説明情報を確認したときに、注目する文字列txが存在するときには、続けて、当該注目の文字列txを指定して［ジャンプ］キー１４ｆ（または［訳／決定］キー１４ｃ）を押下するだけで、前記簡約した説明情報に対応する元辞書からの詳細な説明情報が、ユーザ注目の文字列txを含む部分を主体として元辞書ウインドウＷｒに表示される。このため、表示中の語句の簡約した説明情報を簡単に知ることができるだけでなく、当該簡約した説明情報内にユーザが注目する部分がある場合には、非常に操作性よく快適に元辞書にジャンプ辞書検索して詳細な説明情報の前記注目する部分を容易に確認することができる。
【００９２】
続いて、前記図９（Ｈ）で示したように、見出し語「ウイルス」に対応して元辞書［国語辞書］から読み出された詳細な説明情報うち、ユーザの注目する文字列「細」（菌）txを含む部分が元辞書ウインドウＷｒに表示された状態において、図１０（Ｉ）に示すように、［別辞書］ボタンＡがタッチされる（ステップＳ４５（Ｙｅｓ））。
【００９３】
すると、前記元辞書［国語辞書］と同じ種類［国語系］の別の辞書（［国語大辞典］［新漢和辞書］［百科辞書］）から、前記ミニ辞書検索した見出し語「ウイルス」と同じ見出し語が検索され（ステップＳ４５ａ）、当該見出し語「ウイルス」が検索された辞書名と見出し語の一覧がワークエリア（１）２２ｊに記憶される（ステップＳ４５ｂ）。
【００９４】
すると、前記ワークエリア（１）２２ｊに記憶された辞書名と見出し語の一覧に基づき、前記ミニ辞書ウインドウＷｍ上でユーザが注目した文字列「細」（菌）txを説明情報に有する辞書（この場合は［百科辞典］）からの見出し語「ウイルス」のみが抽出され、当該抽出された辞書名と見出し語の一覧がワークエリア（２）２２ｋに記憶される（ステップＳ４５ｃ）。
【００９５】
ここで、前記ワークエリア（２）２２ｋに記憶された抽出見出し語が複数ある場合には、今回の見出し語「ウイルス」による一連のミニ辞書検索処理では未表示の辞書からの見出し語が表示対象に設定される（ステップＳ４５ｄ）。
【００９６】
そして、前記表示対象に設定された辞書［百科辞典］の見出し語「ウイルス」に対応して読み出された説明情報のうち、前記ミニ辞書ウインドウＷｍ上でユーザが注目した文字列「細」（菌）txを含む部分の説明情報が、辞書名［ブリ百科］および見出し語「ウイルス」と共に前記元辞書ウインドウＷｒに替わる別辞書ウインドウＷａとして表示される（ステップＳ４５ｅ）。
【００９７】
ここで、図１０（Ｊ）に示すように、前記別辞書ウインドウＷａの［スクロール］[↓][↑]ボタンＲがペンＰによりタッチされた場合は、当該ウインドウＷａ内の別辞書［ブリ百科］による見出し語「ウイルス」の説明情報が、指定の方向にスクロールされて表示される。
【００９８】
このように、ミニ辞書検索時と同じ見出し語「ウイルス」に対応する詳細な説明情報を元辞書［国語辞書］から読み出し元辞書ウインドウＷｒにて確認したときに、ユーザの注目する文字列「細菌」txを含んだ更に別の辞書での詳細な説明情報を知りたいときには、続けて、［別辞書］ボタンＡをペンタッチする。これだけで、前記元辞書［国語辞書］と同種［国語系］の別の辞書［百科辞典］から読み出された同じ見出し語「ウイルス」に対応する詳細な説明情報が、前記ユーザ注目の文字列「細菌」txを含む部分を主体として別辞書ウインドウＷａに表示される。このため、表示中の語句の簡約した説明情報を簡単に知り、さらにそのユーザが注目する部分を主体とした詳細な説明情報をも簡単に知ることができるだけでなく、非常に操作性よく快適に別辞書にジャンプ辞書検索して、同じ語句の同種別辞書での同ユーザ注目部分を含む説明情報を容易に確認することができる。
【００９９】
続けて、図１１（Ｋ）に示すように、前記見出し語「ウイルス」に対応して別辞書［百科辞典］から読み出された説明情報を表示した別辞書ウインドウＷａ内で、ユーザが注目する別の任意の文字列「濾過性病原体」がペンＰによりなぞられると（ステップＳ４３（Ｙｅｓ））、当該なぞられた注目の文字列txが検索対象として指定表示ｈされる（ステップＳ４３ａ）。
【０１００】
ここで、図１１（Ｌ）に示すように、再び［別辞書］ボタンＡがタッチされると（ステップＳ４５（Ｙｅｓ））、前回同様に、前記元辞書［国語辞書］と同じ種類［国語系］の別の辞書（［国語大辞典］［新漢和辞書］［百科辞書］）から、前記ミニ辞書検索した見出し語「ウイルス」と同じ見出し語が検索され（ステップＳ４５ａ）、当該見出し語「ウイルス」が検索された辞書名と見出し語の一覧がワークエリア（１）２２ｊに記憶される（ステップＳ４５ｂ）。
【０１０１】
すると、前記ワークエリア（１）２２ｊに記憶された辞書名と見出し語の一覧に基づき、前記別辞書ウインドウＷａ上でユーザが注目した文字列「濾過性病原体」txを説明情報に有する辞書（この場合は［国語大辞典］）からの見出し語「ウイルス」のみが抽出され、当該抽出された辞書名と見出し語の一覧がワークエリア（２）２２ｋに記憶される（ステップＳ４５ｃ）。
【０１０２】
ここで、前記ワークエリア（２）２２ｋに記憶された抽出された見出し語が複数ある場合には、今回の見出し語「ウイルス」による一連のミニ辞書検索処理では未表示の辞書からの見出し語が表示対象に設定される（ステップＳ４５ｄ）。
【０１０３】
そして、前記表示対象に設定された辞書［国語大辞典］の見出し語「ウイルス」に対応して読み出された説明情報のうち、前記別辞書ウインドウＷａ上でユーザが注目した文字列「濾過性病原体」txを含む部分の説明情報が、辞書名［国語大］および見出し語「ウイルス」と共に前記別辞書ウインドウＷａに書き替えられて表示される（ステップＳ４５ｅ）。
【０１０４】
ここで、図１１（Ｍ）に示すように、前記別辞書ウインドウＷａの［スクロール］[↓][↑]ボタンＲがペンＰによりタッチされた場合は、当該ウインドウＷａ内の別辞書［国語大］による見出し語「ウイルス」の説明情報が、指定の方向にスクロールされて表示される。
【０１０５】
このように、ミニ辞書検索時と同じ見出し語「ウイルス」に対応する詳細な説明情報を、元辞書［国語辞書］と同種［国語系］で別の辞書［百科辞典］から読み出し別辞書ウインドウＷａにて確認したときに、さらに別の注目する文字列「濾過性病原体」txを含んだ別の辞書での詳細な説明情報を知りたいときには、続けて、［別辞書］ボタンＡをペンタッチする。これだけで、前記元辞書［国語辞書］と同種［国語系］の更に別の辞書［国語大辞書］から読み出された同じ見出し語「ウイルス」に対応する詳細な説明情報が、前記注目する文字列「濾過性病原体」txを含む部分を主体として別辞書ウインドウＷａに書き替えられて表示される。このため、表示中の語句の簡約した説明情報を簡単に知り、さらにそのユーザが注目する部分を主体とした詳細な説明情報をも簡単に知ることができるだけでなく、非常に操作性よく快適に別の辞書に繰り返しジャンプ辞書検索して、同じ語句の同種別辞書での同ユーザ注目部分を含む説明情報を容易に確認することができる。
【０１０６】
したがって、前記一連のミニ辞書検索モードでの情報表示機能によれば、通常辞書検索された説明情報表示画面Ｇの中の任意の文字列（語句）を見出し語として、その簡約な説明情報をミニ辞書ウインドウＷｍにより、この簡約な説明情報のうちの所望（注目）の文字列部分を含んだ詳細な説明情報を元辞書ウインドウＷｒにより簡単に知ることができる。しかもここからの連続操作で、前記通常辞書検索された説明情報Ｇの中で指定した任意の文字列（語句）を見出し語として前記所望（注目）の文字列部分を含んだ別の辞書での説明情報を、別辞書ウインドウＷａにより簡単に知ることもできる。よって、通常辞書検索された１つの説明情報表示画面Ｇ内の任意の文字列（語句）について、ユーザが知りたいその語義の深度に応じたジャンプ辞書検索を、操作性よく快適に実行することが可能になる。
【０１０７】
図１２は、前記電子辞書装置１０の情報表示処理（前回辞書モード）に伴うタッチパネル式カラー表示部（メイン画面）１７および手書き入力部（サブ画面）１６の表示動作を示す図である。
【０１０８】
図１３は、前記電子辞書装置１０の情報表示処理（辞書選択モード）に伴うタッチパネル式カラー表示部（メイン画面）１７および手書き入力部（サブ画面）１６の表示動作を示す図である。
【０１０９】
前記ステップＳ１〜Ｓ８の辞書検索処理に従い、例えば図１２（Ａ）に示すように、国語系辞書データベース２２ｂとして記憶されている［国語大辞典］から検索された見出し語「エーペック［ＡＰＥＣ］」に対応する説明情報表示画面Ｇがメイン画面１７に表示された状態で、その説明情報の中の任意の文字列について他の辞書へジャンプして検索するために、［ジャンプ］キー１４ｆ（ＫＪ）が押下（タッチ）操作されると（ステップＳ９（Ｙｅｓ））、通常の辞書検索モードか否か判断される（ステップＳ１０）。
【０１１０】
ここで、通常の辞書検索モードであると判断されると（ステップＳ１０（Ｙｅｓ））、図１２（Ｂ）に示すように、メイン画面１７のタッチアイコンエリア１７Ｂおよびサブ画面１６にジャンプモードアイコンＢＪ（前回辞書アイコンＢｂ／辞書選択アイコンＢｓ／ミニ辞書アイコンＢｍ）が表示され、ジャンプ検索モードに設定される（ステップＳ１１，Ｓ１２）。
【０１１１】
すると、ジャンプモードメモリ２２ｉに記憶されているジャンプ検索モード（デフォルト“前回辞書モード”）が読み出され、前記ジャンプモードアイコンＢＪのうちで該当する［前回辞書］アイコンＢｂがハイライトにより指定表示Ｈされる（ステップＳ１３）。
【０１１２】
そして、説明情報表示画面Ｇの中でジャンプ検索したい文字列「ASEAN」がペンＰによりタッチされると、当該検索文字列が反転により指定表示ｈされる（ステップＳ１４）。
【０１１３】
ここで、前記指定表示ｈされた検索文字列「ASEAN」について、前記“前回辞書モード”のままジャンプ検索したい場合に、図１２（Ｃ）に示すように、［訳／決定］キー１４ｃ（ＫＥ）が押下（タッチ）されると（ステップＳ４７（Ｙｅｓ））、ジャンプモードメモリ２２ｉに記憶されているジャンプ検索モードが読み出され（ステップＳ４８）、現在のジャンプ検索モードが“前回辞書モード”であると判断される（ステップＳ５０（Ｙｅｓ））。
【０１１４】
なお、現在のジャンプ検索モードが“前回辞書モード”ではない状態で、前記［訳／決定］キー１４ｃ（ＫＥ）ではなく、［前回辞書］アイコンＢｂがタッチされると（ステップＳ１５（Ｙｅｓ））、ジャンプ検索モードが“前回辞書モード”に設定されてジャンプモードメモリ２２ｉに記憶されると共に、当該［前回辞書］アイコンＢｂがハイライトにより指定表示Ｈされる（ステップＳ１６）。
【０１１５】
すると、前記検索文字列「ASEAN」の文字種（アルファベット）が判別され（ステップＳ１７）、前回ジャンプ辞書メモリ２２ｈ（図４参照）に記憶されている該当の文字種（アルファベット）に対応した前回のジャンプ先辞書［英和辞書］が検知される（ステップＳ１８）。そして、この前回のジャンプ先辞書［英和辞書］が今回のジャンプ先辞書に設定される（ステップＳ１９）。
【０１１６】
すると、通常の辞書検索モードにセットされ（ステップＳ２０）、ブック／テキストビューアモードからの変更か否か判断される（ステップＳ２１）。
【０１１７】
そして、ブック／テキストビューアモードからの変更ではないと判断されると（ステップＳ２１（Ｎｏ））、前記今回のジャンプ先辞書に設定された［英和辞書］から前記検索文字列「ASEAN」と前方一致する見出し語が検索され、この検索された見出し語の一覧がメイン画面１７の見出し語一覧エリアＬｍに表示される（ステップＳ２３）。
【０１１８】
この際、前記見出し語一覧エリアＬｍに一覧表示された先頭の見出し語「ASEAN」がカーソルＣｕにより指定表示され（ステップＳ２４）、この指定表示された見出し語「ASEAN」に対応する説明情報が前記ジャンプ先辞書［英和辞書］から読み出され、メイン画面１７のプレビューエリアＶｐにプレビュー表示される（ステップＳ２５）。
【０１１９】
そして、ユーザによるカーソルＣｕの移動操作に応じて所望の検索見出し語（図１２（Ｃ）では「ASEAN」のみ）が選択され、［訳／決定］キー１４ｃ（ＫＥ）が押下（タッチ）操作されると（ステップＳ２６）、当該選択された見出し語「ASEAN」に対応して前記［英和辞書］から読み出された詳細な説明情報が、メイン画面１７の全画面に展開されてなる説明情報表示画面Ｇとして表示される（ステップＳ２７）。
【０１２０】
このように、メイン画面１７に表示された説明情報表示画面Ｇ内の所望の検索文字列について、ジャンプモードアイコンＢＪの［前回辞書］アイコンＢｂを指定することで、当該検索文字列と一致する見出し語の詳細な説明情報が、同検索文字列の文字種に応じて前回のジャンプ検索処理で使用されたジャンプ先辞書から読み出され、新たな説明情報表示画面Ｇとして表示される。このため、表示中の語句の詳細な意味内容を前回のジャンプ検索処理と同じようにして知りたい場合など、非常に操作性よく快適にジャンプ辞書検索を行うことができる。
【０１２１】
この後、［戻る／リスト］キー１４ｄが押下（タッチ）操作されると（ステップＳ５６（Ｙｅｓ））、図１２（Ｄ）に示すように、ジャンプ検索モードに設定された状態での元の見出し語「エーペック［ＡＰＥＣ］」に対応する説明情報表示画面Ｇの表示状態に戻る。
【０１２２】
すると、ジャンプモードメモリ２２ｉに記憶されているジャンプ検索モード“前回辞書モード”が読み出され、前記ジャンプモードアイコンＢＪのうちで該当する［前回辞書］アイコンＢｂがハイライトにより指定表示Ｈされる（ステップＳ１３）。
【０１２３】
そして、説明情報表示画面Ｇの中で次にジャンプ検索したい文字列「APEC」がペンＰによりタッチされると、当該検索文字列が反転により指定表示ｈされる（ステップＳ１４）。
【０１２４】
ここで、前記指定表示ｈされた検索文字列「APEC」について、任意の辞書をジャンプ先辞書として選択して検索したい場合に、図１３（Ｅ）に示すように、［辞書選択］アイコンＢｓがタッチされると（ステップＳ２８（Ｙｅｓ））、ジャンプ検索モードが“辞書選択モード”に設定されてジャンプモードメモリ２２ｉに記憶されると共に、当該［辞書選択］アイコンＢｓがハイライトにより指定表示Ｈされる（ステップＳ２９）。
【０１２５】
すると、前記検索文字列「APEC」の文字種（アルファベット）が判別され（ステップＳ３０）、ジャンプ先辞書テーブルメモリ２２ｇに記憶されているテーブルデータ（図３参照）に基づき、前記判別された文字種（アルファベット）に対応する検索可能辞書の一覧が読み出され、説明情報表示画面Ｇ上に開いたジャンプ先辞書一覧エリアＬｄに表示される（ステップＳ３１）。
【０１２６】
この際、前回ジャンプ辞書メモリ２２ｈ（図４参照）に記憶されている該当の文字種（アルファベット）に対応した前回のジャンプ先辞書［英和辞書］が指定の辞書に設定され、カーソルＣｕにより指定表示される（ステップＳ３２）。
【０１２７】
このジャンプ先辞書一覧エリアＬｄにおいて、図１３（Ｆ）に示すように、ユーザ操作に応じてカーソルＣｕを移動させ、所望のジャンプ先辞書［[C]百科辞典］が選択されて［訳／決定］キー１４ｃ（ＫＥ）が押下（タッチ）されると（ステップＳ３３）、当該選択された辞書名［ブリ百科辞典］が前回ジャンプ辞書メモリ２２ｈ（図４参照）における前記検索文字列「APEC」の判別文字種（アルファベット）に対応付けられて登録される（ステップＳ３４）。
【０１２８】
すると、通常の辞書検索モードにセットされ（ステップＳ２０）、ブック／テキストビューアモードからの変更か否か判断される（ステップＳ２１）。
【０１２９】
そして、ブック／テキストビューアモードからの変更ではないと判断されると（ステップＳ２１（Ｎｏ））、図１３（Ｇ）に示すように、前記ジャンプ先辞書に選択された［百科辞典］から前記検索文字列「APEC」と前方一致する見出し語が検索され、この検索された見出し語の一覧がメイン画面１７の見出し語一覧エリアＬｍに表示される（ステップＳ２３）。
【０１３０】
この際、前記見出し語一覧エリアＬｍに一覧表示された先頭の見出し語「APEC」がカーソルＣｕにより指定表示され（ステップＳ２４）、この指定表示された見出し語「APEC」に対応する説明情報が前記ジャンプ先辞書［百科辞典］から読み出され、メイン画面１７のプレビューエリアＶｐにプレビュー表示される（ステップＳ２５）。
【０１３１】
そして、ユーザによるカーソルＣｕの移動操作に応じて所望の検索見出し語（図１３（Ｇ）では「APEC」のみ）が選択され、［訳／決定］キー１４ｃ（ＫＥ）が押下（タッチ）操作されると（ステップＳ２６）、図１３（Ｈ）に示すように、当該選択された見出し語「APEC」に対応して前記［百科辞典］から読み出された詳細な説明情報が、メイン画面１７の全画面に展開されてなる説明情報表示画面Ｇとして表示される（ステップＳ２７）。
【０１３２】
このように、メイン画面１７に表示された説明情報表示画面Ｇ内の所望の検索文字列について、ジャンプモードアイコンＢＪの［辞書選択］アイコンＢｓを指定することで、当該検索文字列と一致する見出し語の詳細な説明情報が、同検索文字列の文字種に応じたジャンプ先辞書の一覧（Ｌｄ）に基づきユーザが選択した辞書から読み出され、新たな説明情報表示画面Ｇとして表示される。このため、表示中の語句の詳細な意味内容をユーザ所望の辞書から検索して知りたい場合など、非常に操作性よく快適にジャンプ辞書検索を行うことができる。
【０１３３】
［ブック／テキストビューアモードからのジャンプ辞書検索］
辞書指定キー１４ｂの中の［メニュー］キーの操作に応じてメイン画面１７に表示されるメニュー画面において、ブック／テキストビューア機能がユーザにより選択されると（ステップＳ５１（Ｙｅｓ））、ブック／テキストデータ２２ｅ，２２ｆとして記憶されている各種のブックデータやテキストデータの一覧がメイン画面１７に表示される（ステップＳ５２）。
【０１３４】
このブック／テキストデータの一覧画面において、ユーザが閲覧したいブック／テキストデータ（例えば、ブックデータ［世界文学１］）が選択されると（ステップＳ５３）、ブック／テキストビューアモードにセットされる（ステップＳ５４）。
【０１３５】
そして、前記選択されたブックデータ［世界文学１］がメモリ２２から読み出され、メイン画面１７の全画面に展開したブック／テキストビューア画面として表示される（ステップＳ５５）。
【０１３６】
このブック／テキストビューア画面の表示状態にあっても、前記通常の辞書検索に伴う説明情報表示画面Ｇからのジャンプ辞書検索と同様に、サブ画面１６に対して、［前回辞書］アイコンＢｂ、［辞書選択］アイコンＢｓ、［ミニ辞書］アイコンＢｍからなるジャンプモードアイコンＢＪが表示される（ステップＳ１０（Ｎｏ）→Ｓ１２）。
【０１３７】
そして、ブック／テキストビューア画面内で任意の検索文字列を指定表示ｈさせ、“前回辞書モード”または“辞書選択モード”または“ミニ辞書モード”を選択することで、前記同様のジャンプ辞書検索処理を実行できる（ステップＳ９〜Ｓ５０）。
【０１３８】
したがって、このようなブック／テキストビューアモードからのジャンプ辞書検索であっても、ブック／テキストビューア画面の中の任意の文字列（語句）を見出し語として、その簡約な説明情報をミニ辞書ウインドウＷｍにより、この簡約な説明情報のうちの所望（注目）の文字列部分を含んだ詳細な説明情報を元辞書ウインドウＷｒにより簡単に知ることができる。しかもここからの連続操作で、前記ブック／テキストビューア画面の中で指定した任意の文字列（語句）を見出し語として前記所望（注目）の文字列部分を含んだ別の辞書での説明情報を、別辞書ウインドウＷａにより簡単に知ることもできる。よって、ブック／テキストビューア画面内の任意の文字列（語句）について、ユーザが知りたいその語義の深度に応じたジャンプ辞書検索を、操作性よく快適に実行することが可能になる。
【０１３９】
なお、前記各実施形態において記載した電子辞書装置１０による各処理の手法およびデータベース、すなわち、図５のフローチャートに示す情報表示処理（その１）、図６のフローチャートに示す情報表示処理（その２）、図７のフローチャートに示す情報表示処理（その３）などの各手法、および辞書データベース２２ｂ〜２２ｄは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、電子機器のコンピュータは、この外部記憶媒体２３に記憶されたプログラムを記憶装置（２２）に読み込み、この読み込んだプログラムによって動作が制御されることにより、前記各実施形態において説明したジャンプ検索を伴う情報表示機能を実現し、前述した手法による同様の処理を実行することができる。
【０１４０】
また、前記各手法を実現するためのプログラムのデータは、プログラムコードの形態としてネットワークＮ上を伝送させることができ、このプログラムデータを、ネットワークＮに接続されたコンピュータに通信制御部２５によって取り込むことで、前述したジャンプ検索を伴う情報表示機能を実現することもできる。
【０１４１】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１４２】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ（ＫＥ）…［訳／決定］キー
１４ｄ…［戻る／リスト］キー
１４ｅ…カーソルキー
１４ｆ（ＫＪ）…［ジャンプ］キー
１５  …スピーカ
１６  …手書き入力部（サブ画面）
１６ｄ…液晶表示画面
１６ｔ…透明タッチパネル
１７  …タッチパネル式カラー表示部（メイン画面）
１７ｄ…カラー液晶表示画面
１７ｔ…透明タッチパネル
１７Ａ…タッチキーエリア
１７Ｂ…タッチアイコンエリア
２１  …ＣＰＵ
２２  …メモリ
２２ａ…情報表示制御プログラム
２２ｂ…国語系辞書データベース
２２ｃ…英語系辞書データベース
２２ｄ…ミニ辞書データベース
２２ｅ…ブックデータ
２２ｆ…テキストデータ
２２ｇ…ジャンプ先辞書テーブルメモリ
２２ｈ…前回ジャンプ辞書メモリ
２２ｉ…ジャンプモードメモリ
２２ｊ…ワークエリア（１）
２２ｋ…ワークエリア（２）
２３  …外部記憶媒体
２４  …記憶媒体読み書き部
２５  …通信制御部
Ｇ    …説明情報表示画面
ＢＭ  …［マーカー］アイコン
ＢＴ  …［単語帳］アイコン
ＢＪ  …ジャンプモードアイコン
Ｂｂ  …［前回辞書］アイコン
Ｂｓ  …［辞書選択］アイコン
Ｂｍ  …［ミニ辞書］アイコン
Ｗｍ  …ミニ辞書ウインドウ
Ｗｒ  …元辞書ウインドウ
Ｗａ  …別辞書ウインドウ
tx    …ユーザ注目文字列
Ｌｍ  …見出し語一覧エリア
Ｖｐ  …プレビューエリア
Ｌｄ  …ジャンプ先辞書一覧エリア
Ｎ    …［別候補］ボタン
Ａ    …［別辞書］ボタン
Ｒ    …［スクロール］ボタン
Ｅ    …［閉じる］ボタン
Ｈ，ｈ…指定表示
Ｐ    …タッチペン
Ｃｕ  …カーソル
【図１】
0005440229.tif 000002
【図２】
0005440229.tif 000003
【図３】
0005440229.tif 000004
【図４】
0005440229.tif 000005
【図５】
0005440229.tif 000006
【図６】
0005440229.tif 000007
【図７】
0005440229.tif 000008
【図８】
0005440229.tif 000009
【図９】
0005440229.tif 000010
【図１０】
0005440229.tif 000011
【図１１】
0005440229.tif 000012
【図１２】
0005440229.tif 000013
【図１３】
0005440229.tif 000014